(57)【要約】【課題】  容器の口筒部に取着された吐出ポンプの頭部を覆い、輸送や店頭における展示時等でのポンプ取付キャップのゆるみや脱落を防止すること、および必要不可欠な部分だけを選択して覆うようにすることにより、できるだけ構造を簡易にして材料の節減ができるようにすることを課題とし、ポンプ取付キャップを容易に回転させることができないように覆うとともに、使用にあたって、簡単に取外すことができる液体吐出容器用の簡易カバーを提供すること。【解決手段】  容器と、容器の口筒部にポンプ取付キャップを介して取着され、吐出ノズルを具えた吐出ポンプと、該吐出ポンプを包囲する簡易カバーとを具備した液体吐出容器であって、簡易カバーは、ポンプ取付キャップ外周の少なくとも１８０度を越える部分を包囲するキャップカバー部と、該キャップカバー部に連設し、先端付近に吐出ノズルを保持する嵌挿孔が形成され、中間部に屈曲部が形成されたノズルカバー部とを具備していることを特徴とする。【選択図】  図１
2006096410.tif 000002
【特許請求の範囲】
【請求項１】
容器と、容器の口筒部にポンプ取付キャップを介して取着され、吐出ノズルを具えた吐出ポンプと、該吐出ポンプを包囲する簡易カバーとを具備した液体吐出容器であって、
簡易カバーは、ポンプ取付キャップ外周の少なくとも１８０度を越える部分を包囲するキャップカバー部と、該キャップカバー部に連設し、先端付近に吐出ノズルを保持する嵌挿孔が形成され、中間部に屈曲部が形成されたノズルカバー部とを具備していることを特徴とする簡易カバーを備えた液体吐出容器。
【請求項２】
容器は、ネックリングとねじとが設けられた口筒部を具備しており、
ポンプ取付キャップは、外周面にはローレットが刻設され、内周面には口筒部に螺設されたねじと螺合するねじが螺設されており、
簡易カバーのキャップカバー部の下端には、容器口筒部のネックリングの下側に係合する係止環が形成されていることを特徴とする請求項１記載の液体吐出容器。
【請求項３】
ノズルカバー部は、その幅が、ノズルヘッドの直径を越えない細巾の長方形状としたことを特徴とする請求項１記載の液体吐出容器。
【発明の詳細な説明】
【技術分野】
【０００１】
本発明は、液体吐出容器、とくに輸送や店頭における展示時等でのポンプ取付キャップのゆるみや脱落を防止できる簡易カバーを備えた液体吐出容器に関するものである。
【背景技術】
【０００２】
容器の口筒部に取着された吐出ポンプの頭部にカバー部材を被せ、輸送や店頭における展示時等でのポンプ取付キャップの脱落や、不正行為による開封を防止するようにした液体吐出容器は、特許文献１ないし特許文献３に記載されているように、従来から知られている。
【０００３】
しかし、特許文献１および特許文献２に記載されているカバー部材は、容器の口筒部に取着された吐出ポンプの頭部の全体を覆う形状となっているため、必要以上に大きくなり、スペースを取るばかりでなく、多くの材料を必要とし、製造コストもかさむものであった。
【０００４】
また、特許文献３に記載されているカバー部材は、吐出ポンプの頭部を部分的に覆うものとして、特許文献１および特許文献２のものと比較して改良されている。
しかし、ポンプ取付キャップの中心線を通る二点が開放されてしまっているため、この二点を着力点として指で把持して回転させられ、ポンプ取付キャップが開蓋されるおそれがあった。
【特許文献１】特開平１−３３５１１号公報
【特許文献２】特開２００３−１６５５６２号公報
【特許文献３】特開平１−１８５３８号公報
【発明の開示】
【発明が解決しようとする課題】
【０００５】
本発明は、上記問題を考慮し、容器の口筒部に取着された吐出ポンプの頭部を覆い、輸送や店頭における展示時等でのポンプ取付キャップのゆるみや脱落を防止すること、および必要不可欠な部分だけを選択して覆うようにすることにより、できるだけ構造を簡易にして材料の節減ができるようにすることを課題とし、ポンプ取付キャップを容易に回転させることができないように覆うとともに、使用にあたって、簡単に取外すことができる液体吐出容器用の簡易カバーを提供することを目的とする。
【課題を解決するための手段】
【０００６】
本発明は、上記の課題を解決するため、簡易カバーを備えた液体吐出容器として、容器と、容器の口筒部にポンプ取付キャップを介して取着され、吐出ノズルを具えた吐出ポンプと、該吐出ポンプを包囲する簡易カバーとを具備した液体吐出容器であって、簡易カバーは、ポンプ取付キャップ外周の少なくとも１８０度を越える部分を包囲するキャップカバー部と、該キャップカバー部に連設し、先端付近に吐出ノズルを保持する嵌挿孔が形成され、中間部に屈曲部が形成されたノズルカバー部とを具備していることを特徴とする構成を採用する。
【０００７】
容器、ポンプ取付キャップ、簡易カバーの具体的な実施例として、容器は、ネックリングとねじとが設けられた口筒部を具備しており、ポンプ取付キャップは、外周面にはローレットが刻設され、内周面には口筒部に螺設されたねじと螺合するねじが螺設されており、簡易カバーのキャップカバー部の下端には、容器口筒部のネックリングの下側に係合する係止環が形成されていることを特徴とする構成を採用する。
【０００８】
材料を節減するために、ノズルカバー部は、その幅が、ノズルヘッドの直径を越えない細巾の長方形状としたことを特徴とする構成を採用する。
【発明の効果】
【０００９】
ポンプ取付キャップの円周の少なくとも１８０°を越える範囲を、簡易カバーで覆ったので、ポンプ取付キャップを容易に回転させることができないものとなり、不用意な開蓋を未然に防止することができる。
また、吐出ポンプの頭部の必要不可欠な部分だけを選択して覆うように構成したことにより、カバーを簡易なものにでき、材料を節約することができた。
使用時においては、カバーを簡単に取外すことができる
【発明を実施するための最良の形態】
【００１０】
次に、本発明の液体吐出容器について、図面を参照して説明する。
図１、２において、Ａは容器、Ｂはポンプ取付キャップ、Ｃは吐出ポンプ、Ｄは簡易カバーである。
容器Ａには、内容液として、シャンプー、リンス、ボディソープ、化粧料、洗剤、洗濯仕上げ剤等の家庭用品等を収納することができる。
【００１１】
容器Ａは、合成樹脂をもってブロー成形された容器であり、口筒部１と胴部２を具備しており、口筒部１の外周には、ねじ（図示しない）とネックリング３が形成されている。
ネックリング３は、下側がほぼ直角に屈曲した形状となっており、後述する簡易カバーＤの係止環に対応する形状となっている。
【００１２】
ポンプ取付キャップＢの外周面には、滑り止めのためのローレット４が螺設されており、内周面には、前記容器Ａの口筒部１外周のねじと螺合するねじ（図示しない）が螺設されている。
【００１３】
吐出ポンプＣは、ポンプ取付キャップＢを介して、容器Ａの口筒部１に取着されており、その上部には、吐出ノズル５を設けたノズルヘッド６が取着されており、その内部には、従来より公知のポンプ機構が内蔵されている。
そして、ノズルヘッド６を上下動させることにより、容器Ａ内より内容液を吸上げ、吐出ノズル５より吐出するようになっている。
【００１４】
図１〜３に示すように、簡易カバーＤは、合成樹脂で構成されており、前記したポンプ取付キャップＢ外周に刻設されたローレット４を包囲する形状をしたキャップカバー部７と、該キャップカバー部７に連設され、ノズルヘッド６上面の中央部を覆う長方形のノズルカバー部８とからなっている。
【００１５】
キャップカバー部７の形状は、前記ポンプ取付キャップＢ外周に形成されたローレット４の全周囲を部分的に包囲する円弧状となっており、図１、２に示すように、ローレット４円周面の中心線を越えた部分まで、換言すると、少なくとも１８０°を越える円周を包囲するようにし、一部分は開放されている。
【００１６】
一部分が開放されたものとした理由は、使用時に、簡易カバーＤを容易に取除くことができるようにするためである。
【００１７】
キャップカバー部７の下端には、内側に向かって突出した係止環９が設けられており、係止環９の先端縁は、ほぼ容器口筒部１外周に接するとともに、容器Ａのネックリング３と嵌合させるのに適したものとなっている。
【００１８】
ノズルカバー部８は、全体形状を長方形としており、その幅は、吐出ポンプＣの吐出ノズル５より大きく、ノズルヘッド６の直径を越えないものとし、その長さは、ノズルヘッド６の上部と吐出ノズル５の一部を覆うだけで、必要以上にはみ出した部分を形成しないようにしている。
【００１９】
ノズルカバー部８には、図３に示すように、ノズルヘッド６の上部を包囲するため、屈曲部１０が二箇所設けられている。
この屈曲部１０は、薄肉形状とすることにより屈曲がし易いものとしているが、薄肉とするにあたり、内側からであっても、外側からであってもよい。
ノズルカバー部８の先端部には、吐出ノズル５を保持するための嵌挿孔１１が穿孔されている。
【００２０】
実施例では、屈曲部１０を二個所としているが、先端部側の一個所として、他の側にノズルヘッド６に接するように湾曲させるだけでもよいので、屈曲部はなくてもよい。
【００２１】
次に、本発明の吐出容器の使用態樣と作用効果について説明する。
容器Ａに内容液を充填後、吐出ポンプＣを取着し、さらに簡易カバーＤを装着する。
簡易カバーＤを装着するにあたり、まず、吐出ポンプＣの吐出ノズル５にノズルカバー部８の先端部の嵌挿孔１１を挿通し、屈曲部１０でノズルカバー部８を屈曲した後、キャップカバー部７でポンプ取付キャップＢ外周のローレット４を部分的に包囲すると同時に、係止環９を容器Ａのネックリング３の下側に嵌合する。
【００２２】
その際には、キャップカバー部７をポンプ取付キャップＢ外周に押し込むと、弾性変形するので、キャップカバー部７の先端は、ローレット４外周円の中心線を若干越えた部分まで包囲させ、嵌合することができる。
【００２３】
したがって、簡易カバーＤは、ノズルカバー部８の嵌挿孔１１が吐出ノズル５に、キャップカバー部７の係止環８がネックリング３に係合することにより、ノズルヘッド６とポンプ取付キャップＢにしっかりと装着されるのである。
【００２４】
ポンプ取付キャップＢを指で把持して回転させる場合は、ポンプ取付キャップＢ外周のローレット４の対向する二点を着力点として、摩擦力による偶力のモーメントにより回転させることができる。      
【００２５】
本発明においては、キャップカバー部７が、ローレット４の中心線を越えた部分までを包囲するようになっているため、着力点を、ローレット４の中心線を通る二点とすることができず、また、キャップカバー部７の上方を把持した場合は、キャップカバー部７が変形してローレット４に触れることとなるが、手で直接把持する場合に比較して摩擦力は大きくない。
【００２６】
したがって、本発明の場合は、ローレット４を大きな摩擦力をもって把持することができず、大きな偶力のモーメントを発生させることができないので、ポンプ取付キャップＢを有効に廻動させることができなくなり、不用意な開蓋を未然に防ぐことができる。
さらに、中心線を越え包囲する範囲を大きくすると、対向する二点を把持することができなくなり、ポンプ取付キャップＢを回転させることはきわめて困難となる。
【００２７】
また、ポンプ取付キャップＢを容易に回転させることができないという効果を発揮するばかりでなく、吐出ポンプＣが、簡易カバーＤでカバーされていることにより、あたかも不正開封防止機能が施されているかのように思われ、不正行為による開封をも未然に防止することができる。
【００２８】
さらに、簡易カバーＤのキャップカバー部７の上端とノズルヘッド６との間、またはキャップカバー部７の側端部と取付キャップＢのローレット４との間に、タックラベル等を貼付しておくと、不正行為防止のために効果的であり、タックラベルの状態を視ることにより、不正行為の有無を直ちに確認することができる。
【００２９】
本発明のキャップカバー部７は、一部分が開放されている形状となっているために、使用にあたって、弾性変形させることによって、簡易カバーＤを簡単に除去でき、取扱いの点においても優れたものとなっている。
【産業上の利用可能性】
【００３０】
ポンプ取付キャップを容易に回転させることを防止するにあたり、ポンプ取付キャップを比較的簡単な構造のカバーで包囲することで目的を達成でき、輸送や店頭における展示時等でのポンプ取付キャップのゆるみや脱落を防止することができる。
【図面の簡単な説明】
【００３１】
【図１】本発明の液体吐出容器の側面図である。
【図２】本発明のノズルヘッドとポンプ取付キャップの上面図である。
【図３】簡易カバーの説明図で、（ａ）は装着前の状態を示す斜視図、（ｂ）は装着時の状態を示す断面立面図である。
【符号の説明】
【００３２】
Ａ      容器
Ｂ      ポンプ取付キャップ
Ｃ      吐出ポンプ
Ｄ      簡易カバー
１      口筒部
２      胴部
３      ネックリング
４      ローレット
５      吐出ノズル  
６      ノズルヘッド
７      キャップカバー部
８      ノズルカバー部
９      係止環
１０    屈曲部
１１    嵌挿孔      
【図１】
2006096410.tif 000003
【図２】
2006096410.tif 000004
【図３】
2006096410.tif 000005